(57)【特許請求の範囲】
【請求項１】
敷居の溝に沿って開閉される戸を備えるエレベータ装置において、
上昇位置と下降位置との間で上下移動する溝塞ぎ板と、
上記溝塞ぎ板を上記上昇位置まで押し上げるレバー機構と、
を備え、
上記溝塞ぎ板は、上記下降位置では、上記戸が上記敷居の溝内を移動するとき該戸の移動を妨げないように上記溝の底に退避しており、
上記溝塞ぎ板は、上記上昇位置では、上記敷居の溝の上面を塞ぎ、
上記レバー機構は、戸当たり具と、該戸当たり具により回転されて上記溝塞ぎ板を上記上昇位置まで押し上げるレバーとを少なくとも含み、
上記戸当たり具は、全開位置に位置する上記戸に対して戸開方向の先方に設けられている、
ことを特徴とするエレベータ装置。
【請求項２】
上記溝塞ぎ板を上記敷居の溝の底に引き付けるよう上記溝塞ぎ板を付勢する戻りばねを備えることを特徴とする請求項１に記載のエレベータ装置。
【発明の詳細な説明】
【技術分野】
【０００１】
この発明は、エレベータ装置に関し、特に敷居の溝内に異物が挟まれないエレベータ装置に関するものである。
【背景技術】
【０００２】
敷居溝内への異物の混入を未然に防止して、異物により戸の開閉ができなくなるのを防止するために、一方の戸の下端部にゴムベルト等からなる閉塞帯の一端部を固定するとともに、この閉塞帯を他方の戸の下端部の滑車に巻き掛けて、戸開時に敷居溝内に閉塞帯を敷設して敷設溝を閉塞するようにし、また、滑車に巻き掛けられた閉塞帯の他端部には、重りを吊り下げて、閉塞帯に張力を与えるとともに、戸閉時に重りの重量により閉塞帯を戸側へ収納するようにすることが提案されている（例えば、特許文献１参照）。
【０００３】
また、案内溝内の全域に亘って、足部の摺動に応じて圧縮変形と塑性変形を行う弾性を有するスポンジと、スポンジの表面に接着された耐摩耗性を有する補強部材とにより構成された溝塞ぎ手段が設けられていて、足部の位置しない部分で補強部材の上面と敷居部の上面とが同一平面になるように構成されている（例えば、特許文献２参照）。
【０００４】
【特許文献１】特開平６−５６３７７号公報
【特許文献２】特開平７−６１７５１号公報
【発明の開示】
【発明が解決しようとする課題】
【０００５】
しかし、特許文献１のように戸の内部に滑車や重りを設けるとともに両方の戸の間に閉塞帯を敷設しなければならず、構造が複雑であるとともに高価であるという問題がある。
また、特許文献２のように案内溝内が耐摩耗性を有する補強部材で表面が覆われたスポンジにより埋められるが、戸の繰り返し開閉による変形によりクリープすることを防止できるスポンジは高価であるとともに、案内溝内がスポンジのような固体で埋められているので戸の移動がスムーズでないという問題がある。
【０００６】
この発明の目的は、戸の移動を案内する敷居の溝の中に異物が入り込まないよう安価に対処されたエレベータ装置を提供することである。
【課題を解決するための手段】
【０００７】
この発明に係るエレベータ装置は、敷居の溝に沿って開閉される戸を備えるエレベータ装置において、上記戸が全開位置に位置しているとき上記敷居の溝を塞ぐ上昇位置と上記戸が上記敷居の溝内を移動するとき移動を妨げない下降位置との間で上下移動する溝塞ぎ板と、上記全開位置までに移動する上記戸により回転されて上記溝塞ぎ板を上記上昇位置まで押し上げるレバー機構と、を備える。
【発明の効果】
【０００８】
この発明に係るエレベータ装置の効果は、上昇位置に位置するとき敷居の溝を塞ぐとともに下降位置に位置するとき戸が敷居の溝内を移動することを妨げないよう溝の底に退避する溝塞ぎ板と、戸が全開位置に近づいたとき溝塞ぎ板を押し上げるレバー機構と、を備えるので、敷居の溝に異物が入り込みことを溝塞ぎ板とレバー機構という簡単な部材で安価に防止できることである。
【発明を実施するための最良の形態】
【０００９】
実施の形態１．
図１〜図３は、この発明の実施の形態１に係るエレベータ装置の乗りカゴの戸の正面図である。なお、図１の戸は全開位置に位置し、図２の戸は全閉位置に位置し、図３の戸は戸当たり具に当接するときに位置している。
この発明の実施の形態１に係るエレベータ装置は、溝３が設けられたそれぞれの敷居２に水平移動が案内されるエレベータの乗りカゴの戸１および各乗場の戸を具備している。なお、以下の説明では、エレベータの乗りカゴの戸１に関わる内容について説明するが、各乗場の戸に関わる内容も同様であるので説明は省略する。また、両開き戸である戸１に関して説明するが、片開き戸である戸１であっても同様に適用することができる。
そして、この発明の実施の形態１に係るエレベータ装置は、図１に示すように、エレベータの乗りカゴの戸１が全開位置に位置しているとき敷居２の溝３を塞ぐ溝塞ぎ部材４および開閉する戸１により溝塞ぎ部材４を移動するレバー機構５を備える。
【００１０】
この発明の実施の形態１に係る溝塞ぎ部材４は、戸１が全開位置に位置するとき開いた乗降口に現れた敷居２の溝３の上面を塞ぎ、且つ戸１が全閉位置に位置するとき敷居２の溝３の底３ａに退避する溝塞ぎ板１１、および、溝塞ぎ板１１の下面から下方に延びるとともに敷居２の溝３の底３ａに設けられた孔３ｂを貫通するガイド棒１２から構成されている。
【００１１】
この発明の実施の形態１に係るレバー機構５は、全開位置に位置する戸１の下側に略水平に置かれるレバー１４、レバー１４の一端部に固定される戸当たり具１５、レバー１４と戸当たり具１５とが固定された箇所を回転自在に支持する支持軸１６、レバー１４の他端部に固定されるとともに溝塞ぎ板１１を下側から支持するせり上げ具１７、および、レバー１４が略水平位置から傾くとき戸当たり具１５が当接してレバー１４の傾きを制限するストッパー１８から構成されている。
【００１２】
支持軸１６は、全開位置に位置する戸１に対して戸開方向の先方に設けられ、戸当たり具１５は、支持軸１６を中心として戸閉方向に傾いている。
レバー１４は、戸当たり具１５がストッパー１８に当接しているときには支持軸１６を中心としてせり上げ具１７が固定されている他端部が下降する。他方、レバー１４は、全開位置に位置する戸１により戸当たり具１５が戸開方向に立たされたときには支持軸１６を中心としてせり上げ具１７が固定されている他端部が上昇する。
せり上げ具１７は、敷居２の溝３の深さを３０ｍｍとすると約３０ｍｍ上下するので、せり上げ具１７が固定されているレバー１４の他端部を３０ｍｍ上下させなければならない。そこで、レバー１４の長さを１１００ｍｍとすると、レバー１４を支持軸１６を中心として角度１．５６度回転しなければならない。そのため、ストッパー１８に当接している戸当たり具１５は全開位置に移動する手前の戸１により戸開方向に角度１．５６度起こされる。
【００１３】
溝塞ぎ板１１は、せり上げ具１７が下降位置に位置しているときには自重により敷居２の溝３の底３ａまで下降し、せり上げ具１７が上昇位置に位置しているときにはせり上げ具１７により押し上げられる力が加えられ、敷居２の溝３の上面を塞ぐ位置に保持されている。
ガイド棒１２は、溝塞ぎ板１１がせり上げ具１７により押し上げられるときと溝塞ぎ板１１が自重で降下するとき、孔３ｂに案内されて溝塞ぎ板１１を上下方向だけにガイドする。
【００１４】
次に、戸１が開閉する際の溝塞ぎ部材４およびレバー機構５の動作について説明する。
戸１が全閉位置に位置しているとき、図２に示すように、戸当たり具１５がストッパー１８に当接することにより、レバー１４はせり上げ具１７が固定された他端部が下降してせり上げ具１７が下降位置に停止している。また、溝塞ぎ板１１は自重により敷居２の溝３の底３ａに置かれる。
次に、戸１が戸開移動を開始しても、図３に示すように、戸１が戸当たり具１５に当たるまでは溝塞ぎ板１１は敷居２の溝３の底３ａに置かれている。
戸１が戸当たり具１５に当たり戸当たり具１５を戸開方向に傾きを起こすとレバー１４の他端部が上昇し、他端部に固定されたせり上げ具１７も上昇するので、溝塞ぎ板１１が上昇する。
戸１が全開位置に達すると、図１に示すように、溝塞ぎ板１１が敷居２の溝３の縁まで上昇する。このように、敷居２の溝３の縁と同じ上面で溝３が塞がれているので、乗客が乗り降りしたときに敷居２上に動いた異物は溝３の中に入り込むことが防げる。
【００１５】
この発明の実施の形態１に係るエレベータ装置では、上昇位置に位置するとき敷居２の溝３を塞ぐとともに下降位置に位置するとき戸１が敷居２の溝３内を移動することを妨げないよう溝３の底３ａに置かれる溝塞ぎ板１１と、戸１が全開位置に近づいたとき溝塞ぎ板１１を押し上げるレバー機構５を備えるので、敷居２の溝３に異物が入り込みことを溝塞ぎ板１１とレバー機構５という簡単な部材で安価に防止できる。
【００１６】
実施の形態２．
図４は、この発明の実施の形態２に係るエレベータ装置の敷居付近の拡大図である。
この発明の実施の形態２に係るエレベータ装置は、この発明の実施の形態１に係るエレベータ装置と溝塞ぎ部材４Ｂが異なり、それ以外は同様であるので、同様な部分に同じ符号を付記し説明は省略する。
この発明の実施の形態２に係る溝塞ぎ部材４Ｂは、この発明の実施の形態１に係る溝塞ぎ部材４を敷居２に対して弾性的に支持する戻しばね２２を追加したことが異なり、それ以外は同様であるので、同様な部分に同じ符号を付記し説明は省略する。
【００１７】
そして、この発明の実施の形態２に係る溝塞ぎ部材４Ｂは、戸１が全開位置に位置するとき開いた乗降口に現れた敷居２の溝３の上面を塞ぎ、且つ戸１が全閉位置に位置するとき敷居２の溝３の底３ａまで下降する溝塞ぎ板１１、溝塞ぎ板１１の下面から下方に延びるとともに敷居２の溝３の底３ａに設けられた孔３ｂを貫通するガイド棒１２、ガイド棒１２の下端面に固定された受板２１、および、敷居２の溝３の底３ａの裏面と受板２１とに両端が当接される戻しばね２２から構成されている。
【００１８】
溝塞ぎ板１１は、せり上げ具１７が下降位置に位置しているときには戻しばね２２の付勢力により敷居２の溝３の底３ａまで下降され、せり上げ具１７が上昇位置に位置しているときにはせり上げ具１７により戻しばね２２の付勢力に抗する力が加えられ、敷居２の溝３の上面を塞ぐ位置に保持されている。
【００１９】
次に、戸１が開閉する際の溝塞ぎ部材４Ｂおよびレバー機構５の動作について説明する。
戸１が全閉位置に位置しているとき、図４に示すように、戸当たり具１５がストッパー１８に当接することにより、レバー１４はせり上げ具１７が固定された他端部が下降してせり上げ具１７が下降位置に停止している。また、溝塞ぎ板１１は戻しばね２２により敷居２の溝３の底３ａに押し付けられている。
次に、戸１が戸開移動を開始しても、戸１が戸当たり具１５に当たるまでは溝塞ぎ板１１は戻りばね２２により敷居２の溝３の底３ａに押し付けられている。
戸１が戸当たり具１５に当たり戸当たり具１５を戸開方向に傾きを起こすとレバー１４の他端部が上昇し、他端部に固定されたせり上げ具１７も上昇するので、戻しばね２２の付勢力に抗して溝塞ぎ板１１が上昇する。
戸１が全開位置に達すると、図５に示すように、溝塞ぎ板１１が敷居２の溝３の縁まで上昇するとともに戻しばね２２の付勢力によりその上昇位置に保持される。このように、敷居２の溝３の縁と同じ上面で溝３が塞がれているので、乗客が乗り降りしたときに敷居２上に動いた異物は溝３の中に入り込むことが防げる。
【００２０】
この発明の実施の形態２に係るエレベータ装置では、上昇位置に位置するとき敷居２の溝３を塞ぐとともに下降位置に位置するとき戸１が敷居２の溝３内を移動することを妨げないよう溝３の底３ａに置かれる溝塞ぎ板１１と、戸１が全開位置に近づいたとき溝塞ぎ板１１を押し上げるレバー機構５を備えるので、敷居２の溝３に異物が入り込みことを溝塞ぎ板１１とレバー機構５という簡単な部材で安価に防止できる。
また、戻しばね２２により溝塞ぎ板１１が付勢され、せり上げ具１７が下がったときには付勢力により溝塞ぎ板１１が速やかに溝３の底３ａに退避させられるので、溝塞ぎ板１１が溝３の中途半端な深さのところに留まることがなく、戸１の移動を妨げることがない。
【図面の簡単な説明】
【００２１】
【図１】この発明の実施の形態１に係るエレベータ装置の乗りカゴの全開位置に位置する戸の正面図である。
【図２】この発明の実施の形態１に係るエレベータ装置の乗りカゴの全閉位置に位置する戸の正面図である。
【図３】この発明の実施の形態１に係るエレベータ装置の乗りカゴの戸当たり具に当接した戸の正面図である。
【図４】この発明の実施の形態２に係るエレベータ装置の溝塞ぎ板が溝の底に退避されたときの溝塞ぎ部材およびレバー機構の拡大図である。
【図５】この発明の実施の形態２に係るエレベータ装置の溝塞ぎ板が溝を塞いだときの溝塞ぎ部材およびレバー機構の拡大図である。
【符号の説明】
【００２２】
１  戸、２  敷居、３  溝、３ａ  （溝の）底、３ｂ  （溝の底に空けられた）孔、４、４Ｂ  溝塞ぎ部材、５  レバー機構、１１  溝塞ぎ板、１２  ガイド棒、１４  レバー、１５  戸当たり具、１６  支持軸、１７  せり上げ具、１８  ストッパー、２１  受板、２２  戻しばね。
【図１】
0005149040.tif 000002
【図２】
0005149040.tif 000003
【図３】
0005149040.tif 000004
【図４】
0005149040.tif 000005
【図５】
0005149040.tif 000006